(57)【特許請求の範囲】
【請求項１】
貯湯タンクと、
設置面の上で前記貯湯タンクを支持する脚構造と、
前記貯湯タンクを収納する筐体の一部を構成する筐体構成部と、
前記筐体構成部に固定される上端と、前記設置面に接する下端とを有する補助脚と、
前記筐体構成部に固定される一端と、前記貯湯タンクまたは前記脚構造に固定される他端とを有する支持部材と、
を備え、
前記補助脚の前記上端と、前記支持部材の前記一端とが、前記筐体構成部を挟んで固定されている貯湯式給湯機。
【請求項２】
貯湯タンクと、
設置面の上で前記貯湯タンクを支持する脚構造と、
前記貯湯タンクを収納する筐体の一部を構成する筐体構成部と、
前記筐体構成部に固定される上端と、前記設置面に接する下端とを有する補助脚と、
前記筐体構成部に固定される一端と、前記貯湯タンクまたは前記脚構造に固定される他端とを有する支持部材と、
を備え、
前記筐体構成部は、配管を支持する配管支持部である貯湯式給湯機。
【請求項３】
金属製のタンク本体と、前記タンク本体を覆う断熱材とを有する貯湯タンクと、
設置面の上で前記貯湯タンクを支持する脚構造と、
前記貯湯タンクを収納する筐体の一部を構成する筐体構成部と、
前記筐体構成部に固定される上端と、前記設置面に接する下端とを有する補助脚と、
前記筐体構成部に固定される一端と、前記貯湯タンクまたは前記脚構造に固定される他端とを有する支持部材と、
を備え、
前記支持部材は、前記貯湯タンクの前記断熱材の外側にある貯湯式給湯機。
【請求項４】
前記補助脚は、化粧カバーを固定可能な固定機構を有する請求項１から請求項３のいずれか一項に記載の貯湯式給湯機。
【請求項５】
前記補助脚の長手方向は、水平面に対し垂直であり、前記支持部材の長手方向は、水平面に対し傾斜する請求項１から請求項４のいずれか一項に記載の貯湯式給湯機。
【請求項６】
前記支持部材を覆う断熱材を備える請求項１から請求項５のいずれか一項に記載の貯湯式給湯機。
【請求項７】
前記貯湯タンクは、金属製のタンク本体を有し、
前記タンク本体から前記支持部材への伝熱を抑制する断熱材を備える請求項１または請求項２に記載の貯湯式給湯機。
【発明の詳細な説明】
【技術分野】
【０００１】
本発明は、貯湯式給湯機に関する。
【背景技術】
【０００２】
貯湯式給湯機は、湯水を貯留する貯湯タンク、貯湯タンクの断熱材、湯水を流入流出させるための配管、ポンプ、弁、熱交換器等の機能部品、制御基板などの機器をケース（筐体）に収納し、３本または４本の脚構造を介して設置面（土台または床面）に固定される。貯湯式給湯機のように、背の高い機器では、地震による傾斜及び転倒を確実に防止することが求められる。
【０００３】
下記特許文献１には、３本の脚構造を有する貯湯式給湯機の運搬、保管、荷扱いなどの際に、貯湯式給湯機が不安定になって横揺れすることを防止するため、ケースの底板から設置面の位置まで突出する複数の横揺れ防止部材を設ける技術が開示されている。
【先行技術文献】
【特許文献】
【０００４】
【特許文献１】特開２００９−２２２３２５号公報
【発明の概要】
【発明が解決しようとする課題】
【０００５】
上述した特許文献１の横揺れ防止部材は、貯湯式給湯機の運搬、保管、荷扱いなどの際の、貯湯式給湯機が設置面に固定されていない状態での横揺れを防止するものである。この状態では、貯湯タンクが空で軽量なため、横揺れ防止部材の上端が固定されるケースの底板に大きな力が作用することはない。そのため、横揺れ防止部材の上端が固定されるケースの底板には、特別な補強は施されていない。一方、貯湯式給湯機の使用が開始された後は、貯湯タンク内が常に満水状態に維持されるため、貯湯式給湯機は重量物となる。そのため、貯湯式給湯機が設置面に固定された後も横揺れ防止部材が突出状態になっている場合には、地震時に、横揺れ防止部材の上端からケースの底板に大きな力が加わる。その結果、ケースの底板が変形したり、横揺れ防止部材がケースの底板を突き破る可能性がある。このようなことから、特許文献１の構成では、貯湯式給湯機の耐震性を向上することが困難である。
【０００６】
本発明は、上述のような課題を解決するためになされたもので、耐震性に優れた貯湯式給湯機を提供することを目的とする。
【課題を解決するための手段】
【０００７】
本発明に係る貯湯式給湯機は、貯湯タンクと、設置面の上で貯湯タンクを支持する脚構造と、貯湯タンクを収納する筐体の一部を構成する筐体構成部と、筐体構成部に固定される上端と、設置面に接する下端とを有する補助脚と、筐体構成部に固定される一端と、貯湯タンクまたは脚構造に固定される他端とを有する支持部材と、を備え、補助脚の上端と、支持部材の一端とが、筐体構成部を挟んで固定されているものである。
また、本発明に係る貯湯式給湯機は、貯湯タンクと、設置面の上で貯湯タンクを支持する脚構造と、貯湯タンクを収納する筐体の一部を構成する筐体構成部と、筐体構成部に固定される上端と、設置面に接する下端とを有する補助脚と、筐体構成部に固定される一端と、貯湯タンクまたは脚構造に固定される他端とを有する支持部材と、を備え、筐体構成部は、配管を支持する配管支持部であるものである。
また、本発明に係る貯湯式給湯機は、金属製のタンク本体と、タンク本体を覆う断熱材とを有する貯湯タンクと、設置面の上で貯湯タンクを支持する脚構造と、貯湯タンクを収納する筐体の一部を構成する筐体構成部と、筐体構成部に固定される上端と、設置面に接する下端とを有する補助脚と、筐体構成部に固定される一端と、貯湯タンクまたは脚構造に固定される他端とを有する支持部材と、を備え、支持部材は、貯湯タンクの断熱材の外側にあるものである。
【発明の効果】
【０００８】
本発明の貯湯式給湯機によれば、耐震性を向上することが可能となる。
【図面の簡単な説明】
【０００９】
【図１】本発明の実施の形態１の貯湯式給湯機を示す断面側面図である。
【図２】本発明の実施の形態１の貯湯式給湯機を示す斜視図である。
【図３】貯湯式給湯機の支持部材の付近を拡大した斜視図である。
【図４】貯湯タンクのタンク本体と支持部材の他端との固定箇所を拡大した斜視図である。
【図５】補助脚に化粧カバーを取り付けるときの状態を示す斜視図である。
【図６】本発明の実施の形態２の貯湯式給湯機１における支持部材の他端と貯湯タンクとの固定箇所を拡大した分解斜視図である。
【図７】本発明の実施の形態２の貯湯式給湯機１における支持部材の他端付近を示す斜視図である。
【図８】本発明の実施の形態３の貯湯式給湯機１における支持部材の他端と貯湯タンクとの固定箇所を拡大した分解斜視図である。
【図９】本発明の実施の形態４の貯湯式給湯機１における支持部材の他端と貯湯タンクとの固定箇所を示す側面図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す断面側面図である。図２は、本発明の実施の形態１の貯湯式給湯機を示す斜視図である。図１及び図２に示す本実施の形態１の貯湯式給湯機１は、湯水を貯留する貯湯タンクと、貯湯タンクを収納する筐体である外郭ケース２０とを備える。貯湯タンクは、略円筒形状の金属製のタンク本体１０と、タンク本体１０を覆う断熱材７０とを有する。外郭ケース２０は、略直方体形状をなす。貯湯式給湯機１の使用が開始された後は、貯湯タンクは常に満水状態に維持されるため、重量物となる。貯湯式給湯機１は、貯湯タンク内の水を沸き上げて高温の湯にする加熱手段（図示省略）を備える。この加熱手段は、例えばヒートポンプ式の熱源機、燃焼式加熱器、太陽熱温水器、タンク本体１０の内部に配置されるヒータなど、いかなるものでも良く、複数の方式を組み合わせたものでも良い。外郭ケース２０に加熱手段が内蔵されていても良いし、外郭ケース２０の外部に配置した加熱手段に対して配管を介して接続しても良い。
【００１２】
外郭ケース２０は、筐体の上面を形成するケース天板２１と、筐体の底面を形成するケース底板２２と、筐体の正面を形成するケース正面板２３と、筐体の背面を形成するケース背面板２４と、筐体の左右の側面を形成するケース側面板２５，２６と、配管支持部２８とを有する。図１は、貯湯タンクの中心軸を通り、外郭ケース２０の側面に平行な平面で切断した断面図である。図１では、タンク本体１０は断面にしていない。図２は、ケース正面板２３を取り外した状態を示す。外郭ケース２０内には、貯湯タンクのほかに、湯水の配管、ポンプ、弁、熱交換器等の機能部品、制御基板等の各種機器が更に収納されていても良いが、図示を省略する。
【００１３】
タンク本体１０の下部の外周の３個所には、タンク下部脚３１が溶接等により固定されている。タンク下部脚３１には、内部脚３２がボルト等にて締結されている。内部脚３２の下端は、ケース底板２２を挟んで、据付脚３３の上端に固定されている。据付脚３３の下端は、土台もしくは床面等の設置面５０に設けられたアンカーボルト等（図示省略）に固定される。このようなタンク下部脚３１、内部脚３２及び据付脚３３を有する脚構造３０により、外郭ケース２０が設置面５０上に支持及び固定されている。重量物となる貯湯タンクを含む貯湯式給湯機１の重量は、主として脚構造３０により支持される。本実施の形態１では、３個の脚構造３０のうちの１個は、正面側に配置され、他の２個は背面側に設置されている。
【００１４】
本実施の形態１では、貯湯式給湯機１の外郭ケース２０の上部は、上部振れ止め金具２７を介して、貯湯式給湯機１の背面側に隣接する壁６０に連結されている。この上部振れ止め金具２７が設けられていることにより、強い地震の揺れが発生した場合にも、貯湯式給湯機１が傾斜・転倒することをより確実に抑制できる。
【００１５】
配管支持部２８は、外郭ケース２０の下部の正面側に設けられている。配管支持部２８は、ケース底板２２よりやや高い位置に設けられている。配管支持部２８は、略水平な板状の部分を有する。配管支持部２８は、外郭ケース２０の横幅のほぼ全長に渡って設けられている。配管支持部２８には、図示を省略するが、外部配管が接続される接続口が設けられる。接続される外部配管（図示省略）は、配管支持部２８から下方へ延びる。
【００１６】
本実施の形態１の貯湯式給湯機１は、補助脚４１及び支持部材４３をさらに備える。補助脚４１の上端は、配管支持部２８に固定される。補助脚４１の下端は、設置面５０に接する。補助脚４１の下端を設置面５０に固定しても良い。補助脚４１の長手方向は、水平面に対し垂直である。支持部材４３の一端（下端）は、配管支持部２８に固定される。支持部材４３の他端（上端）は、貯湯タンクに固定される。補助脚４１は、配管支持部２８の両端部にそれぞれ配置される。上方から見たとき、補助脚４１は、外郭ケース２０の角部に位置する。上方から見たとき、補助脚４１は、ケース正面板２３とケース側面板２５とで形成される角部と、ケース正面板２３とケース側面板２６とで形成される角部とに位置する。図２では、一方の補助脚４１に対する支持部材４３を省略しているが、両方の補助脚４１に対して支持部材４３を設けることがより好ましい。
【００１７】
本実施の形態１の貯湯式給湯機１では、主脚である脚構造３０に加えて、補助脚４１を設けたことで、地震のときの貯湯式給湯機１の揺れ（特に、貯湯式給湯機１の上部の横揺れ）を抑制できる。そのため、地震による貯湯式給湯機１の傾斜及び転倒をより確実に防止できる。配管支持部２８が支持部材４３を介して貯湯タンクに固定されているので、地震のときに補助脚４１から配管支持部２８に強い力が作用した際に、配管支持部２８の変形及び破損を確実に抑制できる。
【００１８】
本実施の形態１では、外郭ケース２０の一部を構成する配管支持部２８を、支持部材４３を介して貯湯タンクに固定したことで、地震のときに、貯湯タンクと外郭ケース２０とが別々に揺れることを抑制し、貯湯タンク及び外郭ケース２０の動きを同期させることができる。このため、外郭ケース２０と壁６０とを連結する上部振れ止め金具２７等の耐震強化部材の効果をさらに向上できる。
【００１９】
本実施の形態１では、上方から見たとき、貯湯タンクの中心から補助脚４１までの距離は、貯湯タンクの中心から脚構造３０までの距離より長い。このように構成することで、地震のときに補助脚４１が貯湯式給湯機１の揺れ（特に、横揺れ）を抑制する効果をより大きくできる。支持部材４３の長手方向は、水平面に対し傾斜している。このように構成することで、貯湯タンクの中心から遠い位置で支持部材４３が配管支持部２８を補強できる。そのため、地震のときに補助脚４１が貯湯式給湯機１の揺れ（特に、横揺れ）を抑制する効果をより大きくできる。
【００２０】
本実施の形態１では、配管支持部２８が、補助脚４１の上端及び支持部材４３の一端が固定される筐体構成部に相当する。本発明では、補助脚４１の上端及び支持部材４３の一端が固定される筐体構成部は、配管支持部２８以外の部位でも良い。例えば、ケース底板２２を筐体構成部とし、補助脚４１の上端及び支持部材４３の一端をケース底板２２に固定しても良い。
【００２１】
図３は、貯湯式給湯機１の支持部材４３の付近を拡大した斜視図である。図３に示すように、補助脚４１の上端と、支持部材４３の一端（下端）とは、配管支持部２８を挟んで直接に固定されている。補助脚４１の上端は、配管支持部２８の下面に接触する。支持部材４３の一端は、配管支持部２８の上面に接触する。補助脚４１の上端、配管支持部２８、及び、支持部材４３の一端には、ボルト８０を通す穴がそれぞれ形成されている。補助脚４１の上端と、支持部材４３の一端とは、配管支持部２８を挟んで、ボルト８０により共締めされている。本実施の形態１では、補助脚４１の上端と、支持部材４３の一端とが、配管支持部２８を挟んで直接に固定されていることで、地震のときに、補助脚４１が貯湯式給湯機１の揺れ（特に、横揺れ）を抑制する効果をより大きくでき、かつ、配管支持部２８の変形及び破損をより確実に抑制できる。
【００２２】
本実施の形態１の支持部材４３は、長手方向に対し垂直な断面の形状が「コ」字状をなす。これにより、支持部材４３を軽量で高剛性にできる。ただし、支持部材４３の断面形状はこのような形状に限定されるものではない。また、本発明では、上述したような構成に限定されず、補助脚４１の上端と、支持部材４３の一端とが、配管支持部２８に対して別々に固定されていても良い。
【００２３】
支持部材４３の他端（上端）は、貯湯タンクに設けられたブラケット４２に固定される。支持部材４３及びブラケット４２は、強度及び剛性の観点から、金属製が好ましい。支持部材４３の他端、及び、ブラケット４２には、ボルト８０を通す穴がそれぞれ形成され、ボルト８０により両者が締結されている。図４は、貯湯タンクのタンク本体１０と支持部材４３の他端との固定箇所を拡大した斜視図である。図４に示すように、本実施の形態１では、貯湯タンクのタンク本体１０にブラケット４２が固定され、当該ブラケット４２に支持部材４３の他端が固定されている。このように、金属製のタンク本体１０に支持部材４３を固定することで、支持部材４３と貯湯タンクとの間の固定強度を高くできる。
【００２４】
なお、補助脚４１と配管支持部２８との固定方法、支持部材４３と配管支持部２８との固定方法、及び、支持部材４３と貯湯タンクとの固定方法は、ボルト８０に限定されるものではなく、例えば、リベット、板金の噛み合わせ構造など、他の固定方法でも良い。
【００２５】
図５は、補助脚４１に化粧カバー９０を取り付けるときの状態を示す斜視図である。化粧カバー９０は、配管支持部２８に外部配管を接続した後に装着される。配管支持部２８に接続された外部配管を化粧カバー９０が覆うことで、貯湯式給湯機１の意匠性を向上できる。補助脚４１は、化粧カバー９０を固定可能な固定機構４１ａを有する。化粧カバー９０は、補助脚４１の固定機構４１ａと係合する固定機構９０ａを有する。本実施の形態１では、補助脚４１の固定機構４１ａは穴で構成され、化粧カバー９０の固定機構９０ａは、固定機構４１ａの穴に挿入する爪で構成される。本実施の形態１では、補助脚４１を、化粧カバー９０を固定する部位として兼用できるので、構造を合理化できる。
【００２６】
以上説明した実施の形態１では、支持部材４３の他端（上端）を貯湯タンクのタンク本体１０に固定しているが、タンク本体１０を覆う断熱材に支持部材４３の他端（上端）を固定しても良い。また、支持部材４３の他端（上端）を脚構造３０（例えば内部脚３２）に固定しても良い。これらの場合であっても、前述した効果と類似の効果が得られる。
【００２７】
実施の形態２．
次に、図６及び図７を参照して、本発明の実施の形態２について説明するが、上述した実施の形態１との相違点を中心に説明し、同一部分または相当部分は同一符号を付し説明を省略する。
【００２８】
図６は、本実施の形態２の貯湯式給湯機１における支持部材４３の他端と貯湯タンクとの固定箇所を拡大した分解斜視図である。図７は、本実施の形態２の貯湯式給湯機１における支持部材４３の他端付近を示す斜視図である。図６及び図７に示すように、本実施の形態２では、断熱材７１の内部に支持部材４３を埋め込むように構成している。支持部材４３を埋め込むインサート成形によって断熱材７１を形成することで、当該構成を容易に実現できる。貯湯タンクに貯留された湯の熱が、支持部材４３に伝熱する場合がある。そのような場合でも、支持部材４３が断熱材７１に覆われていることで、支持部材４３の表面からの放熱を抑制できる。よって、貯湯タンクに貯留された湯の熱が支持部材４３からの放熱でロスすることを確実に抑制できる。
【００２９】
実施の形態３．
次に、図８を参照して、本発明の実施の形態３について説明するが、上述した実施の形態との相違点を中心に説明し、同一部分または相当部分は同一符号を付し説明を省略する。
【００３０】
図８は、本実施の形態３の貯湯式給湯機１における支持部材４３の他端と貯湯タンクとの固定箇所を拡大した斜視図である。図８に示すように、本実施の形態３では、貯湯タンクのタンク本体１０を覆う断熱材７０の内部にブラケット４２の一部を埋め込むことで、ブラケット４２が取り付けられている。ブラケット４２は、断熱材７０に支持されており、タンク本体１０には接触していない。ブラケット４２を埋め込むインサート成形によって断熱材７０を形成することで、上記の構成を容易に実現できる。本実施の形態３では、金属製のタンク本体１０とブラケット４２との間に断熱材７０があることで、タンク本体１０からブラケット４２及び支持部材４３への伝熱を抑制できる。よって、貯湯タンクに貯留された湯の熱が支持部材４３からの放熱でロスすることを確実に抑制できる。
【００３１】
実施の形態４．
次に、図９を参照して、本発明の実施の形態４について説明するが、上述した実施の形態との相違点を中心に説明し、同一部分または相当部分は同一符号を付し説明を省略する。
【００３２】
図９は、本実施の形態４の貯湯式給湯機１における支持部材４３の他端と貯湯タンクとの固定箇所を示す側面図である。図９に示すように、本実施の形態４では、支持部材４３の他端と、貯湯タンクのタンク本体１０に取り付けられたブラケット４２との間に、断熱材７２が挟まれる。図９は、断熱材７２を挟んで支持部材４３の他端とブラケット４２とが固定される前の状態を示す。断熱材７２は、支持部材４３、ブラケット４２及びタンク本体１０を構成する金属材料より熱伝導率の低い材料で構成される。断熱材７２の構成材料としては、例えば、樹脂材料、セラミックス等が好ましい。本実施の形態４では、支持部材４３と、タンク本体１０に取り付けられたブラケット４２との間に断熱材７２があることで、金属製のタンク本体１０から支持部材４３への伝熱を抑制できる。よって、貯湯タンクに貯留された湯の熱が支持部材４３からの放熱でロスすることを確実に抑制できる。
【００３３】
以上、本発明の実施の形態について説明したが、本発明では、上述した複数の実施の形態の特徴を任意に組み合わせて実施することが可能である。
【符号の説明】
【００３４】
１  貯湯式給湯機、１０  タンク本体、２０  外郭ケース、２１  ケース天板、２２  ケース底板、２３  ケース正面板、２４  ケース背面板、２５，２６  ケース側面板、２７  上部振れ止め金具、２８  配管支持部、３０  脚構造、３１  タンク下部脚、３２  内部脚、３３  据付脚、４１  補助脚、４１ａ  固定機構、４２  ブラケット、４３  支持部材、５０  設置面、６０  壁、７０，７１，７２  断熱材、８０  ボルト、９０  化粧カバー、９０ａ  固定機構
【図１】
0006319052.tif 000002
【図２】
0006319052.tif 000003
【図３】
0006319052.tif 000004
【図４】
0006319052.tif 000005
【図５】
0006319052.tif 000006
【図６】
0006319052.tif 000007
【図７】
0006319052.tif 000008
【図８】
0006319052.tif 000009
【図９】
0006319052.tif 000010